(57)【特許請求の範囲】
【請求項１】
回転支軸に回動自在に取り付けられた一対のケースよりなる本体と、前記本体に着脱自在に取り付けられたバッテリーと、前記本体に設けられたカード搬送路と、前記本体に設けられ、前記カード搬送路に挿入されたカードを搬送する搬送ローラと、前記本体に設けられ、前記搬送ローラを回転駆動させる駆動手段と、前記本体に設けられ、少なくともカードから所定のデータを読み出すヘッド部と、前記本体に設けられ、カードに所定のキャラクターを印刷する印刷手段と、前記本体に設けられ、所定のデータを入力する操作手段と、前記本体に設けられ、所定のキャラクターを表示する表示手段と、前記ヘッド部から読み出されたデータなどを記憶する記憶手段と、外部との通信を行う通信手段と、外部から前記記憶手段に蓄積されたデータの送出要求があった場合に前記記憶手段に記憶されたデータを前記通信手段を介して外部にデータを送出する制御部を備えた携帯可能なカードリーダであって、前記カード搬送路にカードが挿入されると前記搬送ローラによってカードが前記カード搬送路内を移動し、更に、前記ヘッド部によってカードから所定のデータを読み出す動作か、前記印刷手段によってカードに所定のキャラクターを印刷する動作の少なくとも一方を行う事を特徴とするカードリーダ。
【請求項２】
前記一対のケースの間にカード搬送路が形成されている事を特徴とする請求項１に記載のカードリーダ。
【請求項３】
前記記憶手段として、装置の一連の動作を行うプログラムが蓄積されたＲＯＭと、カードから再生されたデータを記憶するＲＡＭより構成される事を特徴とする請求項１，２いずれか１記載のカードリーダ。
【請求項４】
前記通信手段が本体に設けられた入出力端子であり、前記入出力端子と外部の装置をケーブルで結ぶ事を特徴とする請求項１〜３いずれか１記載のカードリーダ。
【請求項５】
前記印刷手段としてサーマルヘッドを用いた事を特徴とする請求項１〜４いずれか１記載のカードリーダ。
【請求項６】
前記一対のケースを樹脂材料で構成したことを特徴とする請求項１〜５いずれか１記載のカードリーダ。
【請求項７】
前記一対のケースに、取り付けられた、或いは、一体に形成された、一対のシャーシを備えたことを特徴とする請求項１〜６いずれか１記載のカードリーダ。
【請求項８】
前記バッテリーに充電用電極を設けた事を特徴とする請求項１〜７いずれか１記載のカードリーダ。
【請求項９】
請求項８記載のカードリーダを載置する第１の載置部と、前記カードリーダに取り付けられたバッテリーとは別のバッテリー単体を載置する第２の載置部と、前記第１の載置部及び第２の載置部に設けられた充電用電極と、内部に設けられた充電回路とを備え、前記第１及び第２の載置面に設けられたそれぞれの充電用電極に前記カードリーダに取り付けられたバッテリーの充電用電極と前記別のバッテリー単体の充電用電極をそれぞれ当接可能とし、前記カードリーダに取り付けられたバッテリーか前記別のバッテリー単体の少なくとも一方充電する事を特徴とするカードリーダ用充電器。
【請求項１０】
第１の載置部及び第２の載置部を凹部とした事を特徴とする請求項９記載のカードリーダ用充電器。
【発明の詳細な説明】
【０００１】
【産業上の利用分野】
本発明は、少なくともカードからデータを読み出すカードリーダに係るものであり、特に携帯可能なカードリーダ及びカードリーダ用充電器に関するものである。
【０００２】
【従来の技術】
従来のカードリーダは、装置内に組み込んだりする事によって使用されていたが、近ごろでは、携帯用のカードリーダが開発され、さまざまな所で使用されるようになってきた。
【０００３】
【発明が解決しようとする課題】
しかしながら前記従来の構成では、以下の様な問題点があった。
・バッテリーに蓄電された電気量が少なくなると当然充電しなければならないが、その間装置が使用できなくなる。
・装置内にカード等が詰まった場合に、それを取り除くのに時間がかかるとともに、内部の清掃も難しい。
・カードの使用状況を他の装置で管理できない。
【０００４】
本発明は前記従来の課題を解決するもので、バッテリーの交換が容易に行え、内部のトラブル処理も簡単で、更にカードの管理もしやすいカードリーダ及びカードリーダ用充電器に関するものである。
【０００５】
【課題を解決するための手段】
この目的を達成するするために、本体にバッテリーを着脱自在に設けた。
【０００６】
更に上記構成に本体に回動自在の一対のケースを設けた。
また、上記構成にカードから再生したデータを蓄積する記憶手段を備えた。
【０００７】
加えて、カードリーダに取り付けられたバッテリー及びその他のバッテリーを充電可能な載置部をそれぞれ設けた。
【０００８】
【作用】
この構成により、充電済みのバッテリーをすぐに本体に装着できる。
【０００９】
また、一対のケースを回動させるだけでカード搬送路を露出させることができる。
【００１０】
更に、カードの使用状況等を外部装置に送出できるようになった。
また、バッテリー単体も充電できるようになった。
【００１１】
【実施例】
図１，２，３はそれぞれ本発明の一実施例におけるカードリーダを示す平面図，側面図及び底面図である。図１，２，３において、１は本体で、本体１はケース２とケース３で構成されており、しかもケース２とケース３は回転支軸４で互いに回動可能に取り付けられている。ケース２，３の構成材料としては、例えば板金や樹脂等が挙げられる。それら構成材料の中で、特に耐候性や軽量等に優れた樹脂を用いるのが好ましい。
【００１２】
５はケース２に設けられたロックレバーで、このロックレバー５の状態によってケース２とケース３が係合された場合には、ケース２とケース３は回転支軸４を中心に回動できないようになっている。また、係合が外れている場合には、ケース２とケース３が回転支軸４を中心に回動可能となり、本体１の内部がむき出しになり、つまったカードや内部の清掃等を容易に行える。
【００１３】
６はケース２に設けられたキーボードで、このキーボード６によって所定のデータ等が入力される。なお、本実施例では、データ入力手段としてキーボード６を用いたが、音声入力手段やＣＣＤ等を用いた光学的入力手段、または磁気的入力手段等の他の入力手段を用いてもよい。
【００１４】
７はケース２に設けられた液晶ディスプレーで、この液晶ディスクプレー７には、入力したデータや、所定のキャラクタ等が表示される。なお、本実施例では表示手段として液晶ディスクプレー７を用いたが、ＣＲＴやＬＥＤ，フォトクロミック等を用いた他の表示手段を用いてもよい。
【００１５】
８はケース２上に設けられ、液晶ディスクプレー７を覆う上に設けられた表示パネルで、透明な樹脂材料等を選択することが好ましい。更に、表示パネル８としては、ガラス材料なども用いることができる。
【００１６】
９は本体１に着脱可能に設けられたバッテリーで、このバッテリー９は各部の駆動やメモリの記憶保持などに用いられる。
【００１７】
１４はケース２，３の間に設けられたカード挿入口である。
６０は少なくとも内部メモリに蓄積されたデータを外部のコンピュータ等に転送する時に用いられる入出力端子である。この入出力端子６０に例えば外部装置に接続されたケーブル等が接続される。なお、本実施例では、外部との通信を入出力端子６０と、この入出力端子６０に接続されたケーブルで行ったが、本体１に送信用及び受信用光センサをそれぞれ設け、更に外部装置にも同様のセンサを取り付けて光通信でデータの送受信を行っても良い。
【００１８】
図４，５，６はそれぞれ本発明の一実施例におけるカードリーダを示す内部側面図，内部平面図及び内部側面図である。
【００１９】
ここで図４，５，６はそれぞれ本体１のケース２，３やバッテリーを取り除いた内部の通し図である。
【００２０】
図４，５，６において、１０，１１はそれぞれシャーシで、シャーシ１０，１１は樹脂などの軽量な材料で構成されている。シャーシ１０はケース２に取り付けられるか若しくはシャーシ１０とケース２が一体に形成されている。同様にシャーシ１１はケース３に取り付けられるか若しくはシャーシ１１とケース３が一体に形成されている。この様にシャーシ１０，１１はケース２，３同様に回転支軸４を中心として回動可能に保持されている。
【００２１】
ロックレバー５を図５に示す矢印Ａ方向にスライドさせると、シャーシ１０に設けられた係合部１２も連動して動き、シャーシ１１に設けられたフック１３から外れ、シャーシ１０とシャーシ１１は回転支軸４を中心として回動可能になり、シャーシ１０を図６に示す矢印Ｂ方向に回転支軸４を中心に回動させると図６に示すように装置内部が露出される。反対に、シャーシ１０を図６に示す矢印Ｂ方向と反対方向に移動させて、シャーシ１０とシャーシ１１を接近させると、係合部１２がフック１３に係合し、シャーシ１０とシャーシ１１は開かない様にロックされる。なお、ロックレバー５はバネ１５によって図５の矢印Ａ方向と反対方向に付勢されている。
【００２２】
２１は、シャーシ１０とシャーシ１１の間に設けられたカード搬送路である。１６はシャーシ１１に設けられた駆動モータで、駆動モータ１６の駆動力は減速ギア１７と減速ギア１７に連結した別の減速ギアに伝えられる。別の減速ギアはシャーシ１１に設けられた第１の回転軸（図示せず）に取り付けられており、しかも搬送ローラ１８もその第１の回転軸に固定されている。従って、駆動モータ１６の駆動力は減速ギア１６を介して別の減速ギアに伝えられ、その別の減速ギアと同じ第１の回転軸に固定されている搬送ローラ１８が回転する。この搬送ローラ１８はシャーシ１０に設けられた従動ローラ１９と対向しており、カード２０がカード搬送路２１に挿入されると、まず、搬送ローラ１８と従動ローラ１９に挟まれて装置内部に案内されていく。
【００２３】
また、第１の回転軸には第１のプーリ（図示せず）が固定されており、第１の回転軸とともに第１のプーリも回転する。更にシャーシ１１には第２の回転軸（図示せず）が設けられており、この第２の回転軸にはプラテンローラ５０が固定されている。第２の回転軸には第２のプーリが設けられており、第２のプーリが回転すると、第２の回転軸とともにプラテンローラ５０も回転する。
【００２４】
更に図示していないが、シャーシ１１のプラテンローラ５０と回転支軸４の間にも第３の回転軸が設けられており、この第３の回転軸には第３の搬送ローラ及び第３のプーリが固定されている。
【００２５】
ここで、第１，２，３のプーリにはベルト（図示せず）がかけられており、駆動モータ１６が駆動することによって、減速ギア１７が回転し第１の回転軸が回転する。すると、第１の回転軸には第１のプーリが設けられているので、第１の回転軸の回転によって第１のプーリが回転し、それにともなってベルトがその回転力を第２及び第３のプーリに伝える。すると、搬送ローラ１８とともにプラテンローラ、第３の搬送ローラがそれぞれ回転する。第３の搬送ローラにはシャーシ１０に設けられた従動ローラ３１が対向しており、これらローラにカード２０を挟み込んでカード２０は搬送される。
【００２６】
２２はシャーシ１１に設けられた磁気ヘッドで、磁気ヘッド２２はカード２０に記録されたデータを読み出すか、カード２０に所定のデータを書き込むという動作の少なくとも一方を行う。なお、実施例では、カードに磁気的に記録されたデータを読み出す手段として、磁気ヘッド２２を用いたが、カードに光学的に記録されたデータを読み出したり、または記録したりする場合には、光ピックアップなどのたのデータ読取もしくは書き込み素子を用いることができる。また、磁気ヘッド２２や光ピックアップに限らず、カード２０に記録されたデータを読み出したり、またはカード２０にデータを記録する手段としては、カードに記録再生されたデータの形態によって適宜選択する必要がある。
【００２７】
２３は磁気ヘッド２２に対向するようにシャーシ１０に設けられた従動ローラである。
【００２８】
２４はシャーシ１０に設けられた画像形成ヘッドで、画像形成ヘッド２４は回動軸２５を中心として回動自在に取り付けられている。画像形成ヘッド２４としては例えばサーマルヘッドやインクジェットヘッド等が挙げられる。本実施例では、画像形成ヘッドとしてサーマルヘッドを用いた。画像形成ヘッド２４は回動軸２５を中心にカード搬送路２１の方向に回動することによってプラテンローラ５０と当接するように構成されている。更に当然のことながら、画像形成ヘッド２４をカード搬送路２１に離れる方向に回動させると、画像形成ヘッド２４はプラテンローラ２１と離れ、カード搬送路２１から後退する。
【００２９】
この画像形成ヘッド２４の駆動は、以下の様に行われる。
まず、シャーシ１１に設けられた駆動モータ２６の駆動力をギア２７，２８を介してカム２９に伝える。この時カム２９には段差部が形成されている。カム２９の外周部には画像形成ヘッド２４に設けられた当て部３０が当接しており、カム２９の回転によって画像形成ヘッド２４は回動軸２５を中心に回動する。この時、カム２９の外周部がカム２９の回転中心から離れた部分において当て部３０が当接している場合には、画像形成ヘッド２４は、カード搬送路２１から後退しており、また、カム２９の外周部がカム２９の回転中心に近い部分で当接している場合には、画像形成ヘッド２４は、カード搬送路２１に入り込みプラテンローラ５０に当接する。なお、画像形成ヘッド２４は、弾性部材３５によってカード搬送路２１の方向に付勢されている。
【００３０】
３１，３２，３３，３４はそれぞれシャーシ１０に設けられた光センサで、光センサ３１，３２，３３，３４はカード２０の移動位置や停止位置等を検知する。
【００３１】
以上の様に構成されたカードリーダについて、以下その動作について説明する。
【００３２】
まず、カード２０を挿入口１４に挿入し、光センサ３１にてカード挿入が検知されると、駆動モータ１７が回転し始め、搬送ローラ１８及びプラテンローラ５０及び第３の搬送ローラがカード２０を内部に取り込む様に回転する。
【００３３】
次に磁気ヘッド２２によってカード２０から所定のデータを読み出す。この時、光センサ３２，３３にてカード２０を検知して、カード２０の位置決めや再生のタイミング等を行う。
【００３４】
カード２０にデータの再生が終了した後に、光センサ３４でカード２０の端を検知すると、今度は駆動モータ１６の回転を逆にして、カード２０を挿入口１４の方に搬送し、この搬送動作中に磁気ヘッド２２にてカード２０に所定のデータの書き込みが行われる。データの書き込み動作が終了した後に（書き込み動作終了は各光センサ等によって判定する）再度カード２０を装置内部に吸い込む方向に低速で移動する様に駆動モータ１６を駆動させる。
【００３５】
そしてカード２０に設けられた画像形成部が画像形成ヘッド２４の上に来たことを光センサ３２，３３等で検知すると、カム２９が回転して、画像形成ヘッド２４をカード搬送路２１移動させる。すると画像形成ヘッド２４とプラテンローラ５０の間にカード２０を挟み込んで、画像形成ヘッド２４にてカードの上に所定のキャラクターを印字する。
【００３６】
印字動作が終了を各光センサなどによって判定すると、カード２０を挿入口１４に向かって移動させカード２０を外部に放出する。このカード２０が挿入口１４から放出されるまでの動作中にカード２０に記録されたデータを磁気ヘッド２２にてベリファイする。
【００３７】
カード２０が挿入口１４から放出された後は、駆動モータ１６も光センサ３１等の情報によって停止する。
【００３８】
図７は本発明の一実施例におけるカードリーダを示すブロック図である。
図７において、１００は各部を制御する制御部、１０１は制御部からの信号に基いて所定のキャラクターを表示させる表示部で、表示部１０１は液晶ディスクプレー７に相当する。１０２は制御部１００に所定のデータを入力する操作部で、操作部１０２はキーボード６に相当する。ここで、表示部１０１には、操作部１０２から入力されたデータが表示されたり、商品の登録番号などが表示される。１０３は入力されたデータやカードから読み出したデータなどを蓄積するＲＡＭ、１０４はカードリーダを駆動するための所定のプログラムが蓄積されているＲＯＭ、１０５は装置内部に設けられたセンサ群で、センサ群１０５としては光センサ３１，３２，３３，３４等が相当する。１０６は駆動モータ１６，２６を駆動するモータ駆動部、１０７はカード２０にデータの記録または再生の少なくとも一方を行うデータ記録再生部で、データ記録再生部１０７は磁気ヘッド２２を用いてカードから所定のデータを読み出したり、カード２０に所定のデータを記録している。１０８はカード２０に所定のキャラクターを印字する印字駆動部で、印字駆動部１０８は画像形成ヘッド２４を用いてカード２０に印字を施している。
【００３９】
以下、カードリーダのソフト的な動作について説明する。
まず、所定のデータ（ユーザーＩＤや商品の価格等）を操作部１０２から入力した後に、カード２０を装置内に挿入する。
【００４０】
センサ群１０５によってカード２０の挿入検知されると、制御部１００はＲＯＭ１０４に蓄積された動作プログラムに従って、モータ駆動部１０６，データ記録再生部１０７，印字駆動部１０８を用いて上述の様なメカ的な動作を行う。
【００４１】
この時、カード２０にデータを記録する際には、制御部１００はＲＯＭ１０４等に蓄積されたデータを読み出して、データ記録再生部１０７にそのデータを送出し、カード２０にその送出されたデータを磁気ヘッド２２を用いて記録する。
【００４２】
また、カード２０からデータを再生する場合、データ記録再生部１０７から制御部１００に再生データが送られ、制御部１００はそのデータをＲＡＭ１０３等に蓄積しておく。
【００４３】
また、入出力端子６０に外部のコンピュータ等が接続されて、そのコンピュータが、カードリーダに蓄積されたデータを要求された場合、制御部１００は、ＲＡＭ１０３に蓄積されたデータを入出力端子６０を介して、外部のコンピュータ等に送出する。
【００４４】
図８，９，１０はそれぞれ、本発明の一実施例におけるカードリーダ用充電器を示す平面図，底面図及び側面図である。
【００４５】
図８，９，１０において、２００は本発明の一実施例におけるカードリーダ、２０１はカードリーダ２００の充電器で、充電器２０１にはカードリーダ２００が載置される凹部２０２が設けられており、この凹部２０２には図示していないが、充電用の電極がむき出しになっており、この充電用の電極はバッテリー９に設けられた電極と接触している。２０３はバッテリー９とは別のバッテリー単体を載置する凹部で、凹部２０３にはやはり充電用の電極がむき出しになっており、その充電用の電極はバッテリーの電極と接触する様に構成されている。この様に他のバッテリー単体を充電できるように構成しているので、カードリーダ２００に取り付けられたバッテリー９の電力が少なくなっても、すぐに他のバッテリーを装着できるので、作業性が良くなる。
【００４６】
２０４は充電器２０１に設けられた充電状況を示す充電表示部、２０５はバッテリーの少なくなった電力をリフレッシュする事によってバッテリーの寿命が長くなるようにするリフレッシュスイッチ、２０６は充電器２０１とカードリーダ２００をロックするロック部で、充電期間中などにカードリーダ２００が取り外せないような構成になっている。
【００４７】
なお、充電器２０１の内部には図示していないが、公知の充電回路がけいせいされている。
【００４８】
以上の様に本実施例では、内部にＲＡＭ１０３と入出力端子６０を設けたことによって、カードリーダ２００内に蓄積されたデータを読み出すことができるので、単にカード２０に印字したり、キーボード６から入力されたユーザーＩＤとカード２０に記録されたデータを比較するだけでなく、ユーザーの購入状況などをＲＡＭ１０３に記憶することができる。従って、ユーザー管理や商品管理等がやり易くなる。
【００４９】
また、本体１をケース２とケース３に分け、ケース２，３を回転支軸４を中心に回動自在に取り付け、更にケース２，３の間にカード搬送路２１が形成されているので、カード２０がカード搬送路２１内で詰まっても、ケース２，３を回転支軸４を中心に回動させることによって、装置内部を露出することができるので、容易に詰まったカード２０を取り除ける。
【００５０】
更に、バッテリー９を着脱自在に設けたことによって、すぐに他の充電済みのバッテリーと交換できるので、非常に使いがってが良くなる。
【００５１】
また、充電器２０１にバッテリー単体を充電できる凹部２０３を設けた事によって、使用中のバッテリーの電力が小さくなっても、すぐにバッテリーを取り替えることができ、作業性がよくなる。
【００５２】
【発明の効果】
本発明は、本体にバッテリーを着脱自在に設けた事によって充電済みのバッテリーをすぐに本体に装着できるので、使い勝手が良くなる。
【００５３】
更に上記構成に本体に回動自在の一対のケースを設けた事によって一対のケースを回動させるだけでカード搬送路を露出させることができるので、内部のトラブル処理が容易に行える。
【００５４】
また、上記構成にカードから再生したデータを蓄積する記憶手段を備えたので、カードの使用状況等を外部装置に送出できるようになり、カード管理がしやすくなった。
【００５５】
加えて、カードリーダに取り付けられたバッテリー及びその他のバッテリーを充電可能な載置部をそれぞれ設けた事によってバッテリー単体も充電できるようになったので、作業性がよくなった。
【図面の簡単な説明】
【図１】本発明の一実施例におけるカードリーダを示す平面図
【図２】本発明の一実施例におけるカードリーダを示す側面図
【図３】本発明の一実施例におけるカードリーダを示す底面図
【図４】本発明の一実施例におけるカードリーダの内部を示す内部側面図
【図５】本発明の一実施例におけるカードリーダの内部を示す内部平面図
【図６】本発明の一実施例におけるカードリーダの内部を示す内部側面図
【図７】本発明の一実施例におけるカードリーダを示すブロック図
【図８】本発明の一実施例におけるカードリーダ用充電器を示す平面図
【図９】本発明の一実施例におけるカードリーダ用充電器を示す底面図
【図１０】本発明の一実施例におけるカードリーダ用充電器を示す側面図
【符号の説明】
１  本体
２，３  ケース
４  回転支軸
６  キーボード
７  液晶ディスプレー
９  バッテリー
２０  カード
６０  入出力端子
１６，２６  駆動モータ
２２  磁気ヘッド
２４  画像形成ヘッド
１００  制御部
１０３  ＲＡＭ
１０４  ＲＯＭ
２００  カードリーダ
２０１  充電器
２０２，２０３  凹部
【図１】
0003546556.tif 000002
【図２】
0003546556.tif 000003
【図３】
0003546556.tif 000004
【図４】
0003546556.tif 000005
【図５】
0003546556.tif 000006
【図６】
0003546556.tif 000007
【図７】
0003546556.tif 000008
【図８】
0003546556.tif 000009
【図９】
0003546556.tif 000010
【図１０】
0003546556.tif 000011